(57)【要約】      （修正有）【課題】魚の興味を十分に引くことができるルアーを提供する。【解決手段】魚の形状に似せて形成される魚釣り用のルアー１であって、ルアー頭部２と、ルアー頭部２に接続された、透過性を有する樹脂製のフラットなルアー本体３と、を備える。このように、樹脂製のフラットな部材でルアー本体３を構成することにより、水中での波動が柔らかくなり、より自然な魚の動きを実現することができる。このようなルアーの動きと合わせて、透過性を有する部分では、魚の興味を引き立てる光の反射及び屈折を実現することができる。【選択図】図１
0003200973.tif 000002
【実用新案登録請求の範囲】
【請求項１】
魚の形状に似せて形成される魚釣り用のルアーであって、
ルアー頭部と、
前記ルアー頭部に接続された、透過性を有する樹脂製のフラットなルアー本体と、
を備える、ルアー。
【請求項２】
前記ルアー本体の少なくとも一部に、塗料が塗布されている、請求項１に記載のルアー。
【請求項３】
前記ルアー頭部に貫通孔を設けており、
前記ルアー本体は、前記貫通孔内へ突出する突起部を有する、請求項１または２に記載のルアー。
【考案の詳細な説明】
【技術分野】
【０００１】
本考案は、魚釣りに使用されるルアーに関する。
【背景技術】
【０００２】
従来、外形を魚の形状に似せた透過性の合成樹脂からなるルアーが提案されている（例えば、特許文献１参照）。特許文献１に記載のルアーは、中空のルアー本体内部に透過性を有すると共に光を反射可能な半透明シートを備えている。
【先行技術文献】
【特許文献】
【０００３】
【特許文献１】特開２００１−１０３８７１号公報
【考案の概要】
【考案が解決しようとする課題】
【０００４】
しかしながら、特許文献１に記載のルアーにおいては、魚の興味を十分に引くことができないという問題がある。
【０００５】
本考案は、上記問題を解決することであって、魚の興味を十分に引くことができるルアーを提供することを目的とする。
【課題を解決するための手段】
【０００６】
本考案の一態様のルアーは、魚の形状に似せて形成される魚釣り用のルアーであって、ルアー頭部と、前記ルアー頭部に接続された、透過性を有する樹脂製のフラットなルアー本体と、を備える。
【考案の効果】
【０００７】
本考案によれば、魚の興味を十分に引くことができるルアーを提供することができる。
【図面の簡単な説明】
【０００８】
【図１】本考案の実施の形態１に係るルアーの概略構成図
【図２】本考案の実施の形態１に係るルアーの分解図
【図３】本考案の実施の形態１に係るルアーの変形例の概略構成図
【考案を実施するための形態】
【０００９】
本考案の第１態様に係るルアーは、魚の形状に似せて形成される魚釣り用のルアーであって、ルアー頭部と、前記ルアー頭部に接続された、透過性を有する樹脂製のフラットなルアー本体と、を備えてもよい。
【００１０】
このような構成により、魚の興味を十分に引くことができる。
【００１１】
本考案の第２態様に係るルアーにおいて、前記第１の態様における前記ルアー本体は、塗料が塗布されていてもよい。
【００１２】
このような構成により、透過性を有する樹脂製のフラットなルアー本体に塗料を塗布することによって、透過性を活かした自然な色合いを表現できるため、更に魚の興味を引くことができる。
【００１３】
本考案の第３態様に係るルアーにおいて、前記第１又は２の態様における前記ルアー頭部に貫通孔を設けており、前記ルアー本体は、前記貫通孔内へ突出する突起部を有していてもよい。
【００１４】
このような構成により、ルアー頭部とルアー本体を強固に固定して接続することができる。
【００１５】
以下、本発明に係る実施の形態について、添付の図面を参照しながら説明する。また、各図においては、説明を容易なものとするため、各要素を誇張して示している。
【００１６】
（実施の形態１）
［全体構成］
図１は、実施の形態１に係るルアー１の概略構成図を示す。図１に示すように、ルアー１は、ルアー頭部２と、ルアー本体３と、釣針４ａ、４ｂとを備える。
【００１７】
ルアー頭部２は、魚の頭部に似せた形状を有している。実施の形態１において、ルアー頭部２は、魚の頭部に加えて下腹部分の一部も形成している。ルアー頭部２の後方部分には、ルアー本体３と接続される溝が設けられている。ルアー頭部２は、例えば、鉛で形成されている。ルアー頭部２は、実際の魚の頭部の色合いに似せて塗装されている。
【００１８】
ルアー本体３は、魚の本体部分に似せた形状を有しており、ルアー頭部２の後方部分に接続されている。ルアー本体３は、魚の腹部分を形成しており、透過性を有する樹脂製のフラットな部材で作られている。実施の形態１において、ルアー本体３は、例えば、厚さ約１ｍｍのポリカーボネート板で形成されている。ルアー本体３の表面には、自然な色合いを表現するために塗料が塗布されている。実施の形態１において、ルアー本体３の全体には、紫の蛍光塗料が塗布されている。
【００１９】
ルアー本体３の上腹部分には、釣糸を取り付けるための釣糸用孔５が設けられている。実施の形態１において、釣糸用孔５は、上腹の形状に沿って複数設けられている。釣糸を取り付ける釣糸用孔５の位置によって、ルアー１の姿勢を調整することができる。また、ルアー本体３の下腹部分と尾ひれ側の部分には、釣針４ａと４ｂを取り付けるための釣針用孔６ａと６ｂがそれぞれ設けられている。
【００２０】
図２は、ルアー１の分解図を示す。図２において、ルアー頭部２及びルアー本体３は、塗装する前の状態を表している。図２に示すように、ルアー頭部２には、複数の貫通孔７ａ、７ｂが設けられている。実施の形態１において、貫通孔７ａは、ルアー頭部２の目の部分に設けられており、貫通孔７ｂは、下腹部分に設けられている。また、ルアー本体３は、両主面に、それぞれの主面から離れる方向に突出する複数の突起部８ａ、８ｂを有している。突起部８ａ、８ｂは、ルアー本体３と一体で形成されている。ルアー１は、貫通孔７ａ、７ｂの内部に突起部８ａ、８ｂを突出させるように設けることによって、ルアー頭部２とルアー本体３とを接続し、固定している。
【００２１】
［製造方法］
ルアー１の製造方法について説明する。
まず、ルアー頭部２を作製する。ルアー頭部２は、例えば、ダイカスト成型方法などによって作製する。次に、作製されたルアー頭部２を金型の中に配置する。ルアー頭部２が配置された金型の中に、軟化する温度に加熱した射出成型用樹脂を、射出圧を加えて押込み、型に充填する。加熱された射出成型用樹脂は、ルアー頭部２の後方部分の溝に流入し、貫通孔７ａ、７ｂの内部に流れ込む。その後、射出成型用樹脂が硬化することによって、貫通孔７ａ、７ｂの内部に突起部８ａ、８ｂを突出させたルアー本体３が成型される。このように、ルアー本体３と一体成型される突起部８ａ、８ｂを、ルアー頭部２の貫通孔７ａ、７ｂ内にそれぞれ設けることによって、ルアー頭部２とルアー本体３を接続し、強固に固定することができる。その後、ルアー頭部２とルアー本体３のそれぞれに塗料が塗布され、所望のデザインのルアー１に仕上げられる。
【００２２】
［効果］
実施の形態１に係るルアー１によれば、以下の効果を奏することができる。
【００２３】
ルアー１は、ルアー頭部２に接続された、透過性を有する樹脂製のフラットなルアー本体３を備える。このように、樹脂製のフラットな部材でルアー本体３を構成することにより、水中での波動が柔らかくなり、より自然な魚の動きを実現することができる。このようなルアー１の動きと合わせて、透過性を有する部分では、魚の興味を引き立てる光の反射及び屈折を実現することができる。したがって、ルアー１においては、フラットな部材を透過させることによって、ターゲットとなる魚の興味を十分に引くことができる。
【００２４】
ルアー１においては、ルアー頭部２の貫通孔７ａ、７ｂの内部にルアー本体３の両主面から突出した突起部８ａ、８ｂを一体成型により設けることによって、ルアー頭部２とルアー本体３とを接続し、強固に固定することができる。
【００２５】
実施の形態１の製造方法によれば、貫通孔７ａ、７ｂにピンなどを圧入しなくても、ルアー頭部２とルアー本体３とを接続することができる。そのため、ルアー１においては、部品点数を減らし、容易にかつ低コストで製造することができる。
【００２６】
ルアー１において、ルアー本体３の透過性を有する部分に塗料が塗布されている。このように、透過性を有する部分を塗料によってカラーリングすることによって、透過性を活かした自然な色合いを表現できるため、更に魚の興味を引くことができる。また、カラーリングによってルアー本体３の透過度合いを調整することによって、ターゲットとなる魚に対してルアー１を大きく見せたり、小さく見せたりすることができる、
【００２７】
なお、実施の形態１において、ルアー頭部２は、鉛で作られている例を説明したが、これに限定されない。ルアー頭部２は、例えば、鉄等の他の金属で作られていてもよい。また、実施の形態１において、ルアー本体３は、ポリカーボネート板で形成されている例を説明したが、これに限定されない。ルアー本体３は、水中での波動が柔らかくなるフラットな部材であればよく、他の樹脂製の板状部材であってもよい。
【００２８】
実施の形態１において、ルアー本体３は、全体に紫の蛍光塗料を塗布している例を説明したが、これに限定されない。ターゲットとなる魚の興味を引くために、ルアー本体３の少なくとも一部に光学的影響を与える塗料が塗布されていればよい。ルアー本体３は、ターゲットとなる魚に応じて、様々な色の塗料によるカラーリングを行ってもよい。図３は、変形例のルアー１Ａを示す。図３に示すように、ルアー本体３ａの上腹部分を黒又は青等の色から下腹部分に向かって、透明になっていくようなグラデーション模様としてもよい。ルアー１Ａでは、透過性の高い下腹部分で光を透過し易いため、ターゲットとなる魚に対してルアー１Ａを小さく見せることができる。この他にも、ルアー本体３の腹部分を透明、赤、青、黄等の縦縞模様としてもよい。また、ルアー本体３に夜光塗料を塗布していてもよい。
【００２９】
本考案は、添付図面を参照しながら好ましい実施形態に関連して充分に記載されているが、この技術の熟練した人々にとっては種々の変形や修正は明白である。そのような変形や修正は、添付した実用新案登録請求の範囲による本考案の範囲から外れない限りにおいて、その中に含まれると理解されるべきである。
【産業上の利用可能性】
【００３０】
本考案は、魚釣り用のルアーに適用することができる。
【符号の説明】
【００３１】
１  ルアー
２  ルアー頭部
３  ルアー本体
４ａ、４ｂ  釣針
５  釣糸用孔
６ａ、６ｂ  釣針用孔
７ａ、７ｂ  貫通孔
８ａ、８ｂ  突起部
【図１】
0003200973.tif 000003
【図２】
0003200973.tif 000004
【図３】
0003200973.tif 000005